(57)【要約】【課題】締結部材が締結部に対して傾くことなく、締結部材をスムーズ、且つ強固に締結部に締結することができる締結部材案内構造の提供を目的とする。【解決手段】締結部材８０を該締結部材８０の締結対象となる締結対象部材２における締結部１２に螺合により締結する前の未締結箇所Ｔにおいて、該未締結箇所Ｔに配置された未締結状態の締結部材８０の螺子軸８０ａと締結部１２の螺子軸１２ａとが一致した状態で締結部材８０と締結部１２が締結されるように締結部材８０を案内する案内手段２０を備えた締結部材案内構造１０であって、案内手段２０を、未締結箇所Ｔの外周側から径内方向に締結部材８０を案内可能に突出するとともに、締結部材８０の締結に伴って未締結箇所Ｔから径外方向へ退避可能に形成した。【選択図】図１
2014103711.tif 000002
【特許請求の範囲】
【請求項１】
締結部材を該締結部材の締結対象となる締結対象部材における締結部に螺合により締結する前の未締結箇所において、該未締結箇所に配置された未締結状態の前記締結部材の螺子軸と前記締結部の螺子軸とが一致した状態で前記締結部材と前記締結部が締結されるように前記締結部材を案内する案内手段を備えた締結部材案内構造であって、
前記案内手段を、
前記未締結箇所の外周側から径内方向に前記締結部材を案内可能に突出するとともに、前記締結部材の締結に伴って前記未締結箇所から径外方向へ退避可能に形成した
締結部材案内構造。
【請求項２】
前記未締結箇所の外周側に、前記締結部材を締結する締結工具を前記未締結箇所にガイドするガイド壁部を形成した
請求項１に記載の締結部材案内構造。
【請求項３】
前記締結部を、
前記締結部材と前記締結部とが締結する締結箇所の底部から前記未締結箇所に向けて突出するとともに、外周に螺子部が形成された突状雄螺子部で構成し、
前記案内手段を、
前記螺子部の軸方向における先端側の形成端部に対応する位置に配置した
請求項１、又は２に記載の締結部材案内構造。
【請求項４】
前記案内手段における前記締結部材を案内する案内面を、径外方向から径内方向へ向けて、前記締結部材と前記締結部とが締結する締結箇所の側に近接する傾斜面で形成した
請求項１乃至３のうちいずれかに記載の締結部材案内構造。
【請求項５】
前記案内手段を、３つ備えるとともに、それぞれを周方向において略等分に配置した
請求項１乃至４のうちいずれかに記載の締結部材案内構造。
【請求項６】
前記案内手段を、前記未締結箇所に配置した前記締結部材を下側から案内する下側配置案内手段と、
前記未締結箇所に配置した前記締結部材を締結する締結工具を上側から案内する上側配置案内手段とで構成した
請求項１乃至５のうちいずれかに記載の締結部材案内構造。
【請求項７】
前記案内手段に、前記締結箇所に配置した前記締結部材を保持する保持部を構成した
請求項１乃至６のうちいずれかに記載の締結部材案内構造。
【請求項８】
前記案内手段に、締結箇所に配置した締結部材を押さえる押さえ面を構成した
請求項１乃至７のうちいずれかに記載の締結部材案内構造。
【請求項９】
前記締結対象部材を、電気接続箱の筐体に設定した
請求項１乃至８のうちいずれかに記載の締結部材案内構造。
【発明の詳細な説明】
【技術分野】
【０００１】
この発明は、締結部材を該締結部材の締結対象となる締結対象部材における締結部に螺合により締結する前の未締結箇所において、該未締結箇所に配置された未締結状態の前記締結部材の螺子軸と前記締結部の螺子軸とが一致した状態で前記締結部材と前記締結部が螺合されるように前記締結部材を案内する案内手段を備えた締結部材案内構造に関する。
【背景技術】
【０００２】
上述した締結部材案内構造は、例えば、リレーボックスやヒュージブルリンクなどの筐体に備えられることが多く、その構成の一例として特許文献１に開示の「ヒュージブルリンクユニット」が提案されている。
【０００３】
このようなヒュージブルリンクは、特許文献１に開示のヒュージブルリンクユニットをはじめとして、電源供給用の電線の先端部に圧着した圧着端子と接続するための接続部分を構成している。
【０００４】
前記接続部分では、筐体側からスタッドボルトを立設され、電線の先端部に圧着した圧着端子を介在させた状態でナットをスタッドボルトに螺合させて締結することで圧着端子が接続される。
【０００５】
ナットの締め付けは、締結工具の先端部に備えたナット保持ヘッド部にナットを嵌め込んでセットし、その状態でナット保持ヘッド部を未締結箇所に配置し、ナット保持ヘッド部をナットごと螺子軸回りに回転させることで、圧着端子を介在させた状態でナットをスタッドボルトに螺合により締結箇所において締結する。
【０００６】
ここで、ナットがスタッドボルトに対して傾いた状態で螺合しようとした場合、すなわち、ナットの螺子軸とスタッドボルトの螺子軸とが一致していない状態の場合、スムーズに締結できないばかりか、十分な締結力を発揮できず、接続部分における圧着端子との安定した電気的な接続状態を得ることができないという問題が生じる。
【０００７】
このため、特許文献１に開示の「ヒュージブルリンクユニット」の構成によれば、接続部分は、立設されたスタッドボルトの外周に、未締結箇所に配置した締結工具をガイド可能な中空円筒状のガイド部材を配置している。
【０００８】
しかし、上述したように接続部分に配置したガイド部材により、ナットを保持した状態の締結工具を未締結箇所の外周側から当接させてしっかりとガイドした場合、締結工具を回転させる際にガイド部材に当接し、締結工具のスムーズな螺合作業に支障を来すおそれがあるという課題が生じる。
【０００９】
その一方で、締結工具のスムーズな回転を確保するために、未締結箇所に配置した締結工具とガイド部材との間に隙間（遊び）を設けた場合、ガイド部材によって、未締結箇所に配置した締結工具をしっかりとガイドすることができず、十分なガイド機能を果たすことができないことから、スタッドボルトに対するナットの傾きを防止できないという課題を有していた。
【先行技術文献】
【特許文献】
【００１０】
【特許文献１】特開２０１０−４０２５４号公報
【発明の概要】
【発明が解決しようとする課題】
【００１１】
この発明は、前記締結部材が前記締結部に対して傾くことなく、前記締結部材をスムーズ、且つ強固に前記締結部に締結することができる締結部材案内構造の提供を目的とする。
【課題を解決するための手段】
【００１２】
本発明は、締結部材を該締結部材の締結対象となる締結対象部材における締結部に螺合により締結する前の未締結箇所において、該未締結箇所に配置された未締結状態の前記締結部材の螺子軸と前記締結部の螺子軸とが一致した状態で前記締結部材と前記締結部が締結されるように前記締結部材を案内する案内手段を備えた締結部材案内構造であって、前記案内手段を、前記未締結箇所の外周側から
径内方向に前記締結部材を案内可能に突出するとともに、前記締結部材の締結に伴って前記未締結箇所から径外方向へ退避可能に形成したことを特徴とする。
【００１３】
上述した案内手段により、未締結箇所に配置した未締結状態の前記締結部材を、該締結部材の螺子軸と前記締結部の螺子軸とが一致した状態となるように案内することができるため、前記締結部に対して締結部材が傾くことなく、強固、且つ、スムーズに締結することができる。
【００１４】
詳しくは、上述した構成によれば、前記案内手段は、前記未締結箇所の外周側から径内方向に突出しているため、前記未締結箇所に前記締結部材が配置された際に、該締結部材は、前記案内手段に当接する。これにより、前記締結部材の螺子軸と前記締結部の螺子軸とが一致した状態に案内される。
【００１５】
よって、前記締結部材を前記締結部に対して傾くことなく強固に、且つ、スムーズに締結することができる。
【００１６】
さらに、前記案内手段を前記締結部材の締結に伴って前記未締結箇所から径外方向へ退避可能に形成することで、前記未締結箇所から前記締結箇所へ前記締結部材を締結部に対して締結する際に、前記案内手段が邪魔になることなくスムーズに締結することができる。
【００１７】
ここで、前記締結部材は、ナット、ボルトのいずれであってもよく、また、締結部は、前記締結部材をナットで形成した場合には、雄螺子が形成されたボルトで形成することができる。或いは、締結部は、前記締結部材をボルトで形成した場合には、例えば、雌螺子部が形成されたナットで形成することができる。このように、締結部材と締結部とは、互いに螺合可能であればいずれの構成であってもよい。
【００１８】
その他にも、前記案内手段は、前記未締結箇所の外周側に設けた壁のように、締結対象部材から突き出してガイドする必要がないため、低背化することができる。
【００１９】
前記案内手段を上述したように退避可能に形成したとは、例えば、弾性変形可能に形成したものを含む。  
また、前記案内手段は、締結部材と一体に構成するに限らず、締結部材に着脱自在の別体で構成してもよい。
【００２０】
この発明の態様として、前記未締結箇所の外周側に、前記締結部材を締結する締結工具を前記未締結箇所にガイドするガイド壁部を形成することができる。
【００２１】
上述したように、前記未締結箇所の外周側に、前記ガイド壁部を形成することにより、前記未締結箇所に配置した締結部材や、締結部材を締結する締結工具を、外周側からガイドすることができる。
【００２２】
詳しくは、前記ガイド壁部は、前記未締結箇所の外周側に広い範囲で配置することが可能であるため、前記未締結箇所に配置した締結工具を、外周側から広い範囲でガイドすることができる。
【００２３】
一方、前記案内手段は、前記締結部材を案内可能に突出して形成しているため、締結工具との遊びに相当する隙間が生じ難くなるため、しっかりとガイドすることができる。
【００２４】
このように、前記案内手段に加えて前記ガイド壁部を構成することで、これら前記案内手段と前記ガイド壁部との双方の特長を活かしてしっかりと案内することができる。
【００２５】
またこの発明の態様として、前記締結部を、前記締結部材と前記締結部とが締結する締結箇所の底部から前記未締結箇所に向けて突出するとともに、外周に螺子部が形成された突状雄螺子部で構成し、前記案内手段を、前記螺子部の軸方向における先端側の形成端部に対応する位置に配置することができる。
【００２６】
前記締結部材の螺合部分と前記締結部の螺合部分とが互いに係合し合う際に、前記締結部材を、該締結部材の螺子軸と前記締結部の螺子軸とが一致した状態となるように案内することができるため、前記締結部に対する前記締結部材の傾きを精度よく確実に補正することができる。
【００２７】
従って締結部材を前記締結部に対してより一層、強固、且つ、スムーズに締結することができる。
【００２８】
ここで、突状雄螺子部とは例えば、締結対象部材の所定箇所に立設したスタッドボルトの突出部分を含む。
【００２９】
またこの発明の態様として、前記案内手段における前記締結部材を案内する案内面を、径外方向から径内方向へ向けて、前記締結部材と前記締結部とが締結する締結箇所の側に近接する傾斜面で形成することができる。
【００３０】
上述したように、前記案内面を前記傾斜面で形成することにより、前記締結部材を、該締結部材の螺子軸と前記締結部の螺子軸とが一致した状態となるように、該締結部材の重力を利用して積極的に案内することができる。
【００３１】
加えて、締結部材の締結部に対する傾きだけでなく、締結部材の径方向の位置も補正することができる。
【００３２】
従って締結部材を前記締結部に対してより一層、強固、且つ、スムーズに締結することができる。  
なお、前記傾斜面は、例えば、テーパ状、多段状、曲面状のいずれであってもよい。
【００３３】
またこの発明の態様として、前記案内手段を、３つ備えるとともに、それぞれを周方向において略等分に配置することができる。
【００３４】
上述した構成によれば、前記案内手段を、３つ備えるとともに、それぞれを周方向において略等分に配置することにより、それぞれの案内手段によって締結部材をバランスよく案内することができるため、締結部材が締結部に対して傾くことなく、案内することができる。
【００３５】
また、前記案内手段を、３つ備えるとともに、それぞれを周方向において略等分に配置することにより、最小限の案内手段によって効率的に案内することができるため、４つ以上の多数の案内手段を配置した場合のように、構成が複雑にならず、製造コストの低減を図ることができる。
【００３６】
またこの発明の態様として、前記案内手段を、前記未締結箇所に配置した前記締結部材を下側から案内する下側配置案内手段と、前記未締結箇所に配置した前記締結部材を締結する締結工具を上側から案内する上側配置案内手段とで構成することができる。
【００３７】
上述した構成によれば、前記案内手段を、前記下側配置案内手段と前記上側配置案内手段とで構成することにより、前記下側配置案内手段と前記上側配置案内手段とで締結工具を上下各側から挟み込むようにして案内することができるため、意識的に締結工具を、軸方向において固定せずとも、安定した状態で案内できるため、精度よく且つ、しっかりと案内することができる。
【００３８】
またこの発明の態様として、前記案内手段に、前記締結箇所に配置した前記締結部材を保持する保持部を構成することができる。
【００３９】
またこの発明の態様として、前記案内手段に、締結箇所に配置した締結部材を押さえる押さえ面を構成することができる。
【００４０】
上述した構成により、締結部材の緩みを防止することができる。また、押さえ面が締結部材から受ける反力によって変形する案内手段の形状に基づいて締結部材の締結具合を確認できるため、締結部材がしっかりと締結されているか否かを、正確、且つ容易に判別することができる。
【００４１】
またこの発明の態様として、前記締結対象部材を、電気接続箱の筐体に設定することができる。
【００４２】
上述した構成によれば、例えば、電源供給用の電線の先端部に圧着した圧着端子を、締結部材と締結部との締結によって接触不良が生じることなく、しっかりと例えば、ヒュージブルリンクなどの電気機器に取り付けることができる。
【００４３】
また、前記締結対象部材は、上述したヒュージブルリンクに設定するに限らず、例えば、リレーボックス、或いはヒューズボックスなどの電気接続箱、又は電子機器といった筐体など、締結対象となる部材であれば特に限定しない。
【発明の効果】
【００４４】
この発明によれば、前記締結部材が前記締結部に対して傾くことなく、前記締結部材をスムーズ、且つ強固に前記締結部に締結することができる締結部材案内構造の提供を目的とする。
【図面の簡単な説明】
【００４５】
【図１】リレーボックスの斜視図。
【図２】外部端子接続ユニットの斜視図。
【図３】外部端子接続ユニットの平面図。
【図４】ナットが未締結箇所にある場合の外部端子接続ユニットの縦断面図。
【図５】外部端子接続ユニットの作用説明図。
【図６】ナットが締結箇所にある場合の外部端子接続ユニットの縦断面図。
【図７】第２実施形態における外部端子接続ユニットの縦断面図。
【図８】第２実施形態における外部端子接続ユニットの作用説明図。
【図９】第２実施形態における外部端子接続ユニットの縦断面図。
【図１０】第３実施形態における外部端子接続ユニットの縦断面図。
【図１１】第３実施形態における外部端子接続ユニットの平面図。
【図１２】第４実施形態における外部端子接続ユニットの縦断面図。
【図１３】第４実施形態における外部端子接続ユニットの平面図。
【図１４】他の実施形態における外部端子接続ユニットの説明図。
【図１５】他の実施形態におけるガイド壁部の説明図。
【発明を実施するための形態】
【００４６】
この発明の一実施形態を以下図面と共に説明する。  
（第１実施形態）  
図１はリレーボックス１の斜視図であり、詳しくは、リレーボックス１におけるベースブロック２を右斜め上方から視た斜視図を示す。図２は外部端子接続ユニット１０、及びその周辺部分を左斜め上方から視た斜視図を示す。図３は第１実施形態の外部端子接続ユニット１０の平面図である。
【００４７】
図４はナット８０が未締結箇所Ｔにある場合の外部端子接続ユニット１０の縦断面図、及び作用説明であり、図５は外部端子接続ユニット１０の作用説明図であり、図６はナット８０が締結箇所Ｓにある場合の外部端子接続ユニット１０の縦断面図である。  
なお、図４乃至図６は、いずれも図３中のＡ−Ｏ−Ｂ線断面図であるが、端子金具６０、及び、電線先端部５１は正面側から視た状態で示している。
【００４８】
本実施形態におけるリレーボックス１は、ベースブロック２と、該ベースブロック２を上方から覆う図示しないアッパーカバーとで構成し、ベースブロック２は、ベースブロック本体３とナットホルダー４との２つの樹脂部材を嵌合により図１に示すように一体に構成している。  
ベースブロック本体３は、外部ハーネスのコネクタ、ヒューズやリレーを接続するコネクタハウジングを構成している。ナットホルダー４は、例えば、ヒュージブルリンクやオルタネータといった外部機器と接続する外部端子としての端子金具６０の接続箇所となる外部接続端子接続ユニット１０を備えて構成している。
【００４９】
上述した外部接続端子接続ユニット１０は、ベースブロック本体３とナットホルダー４とを嵌合した状態において、図１に示すように、リレーボックス１の所定箇所に配置されている。
【００５０】
外部接続端子接続ユニット１０は、図４に示すように、該外部接続端子接続ユニット１０の基底部１１からスタッドボルト１２が立設されている。スタッドボルト１２の外周には、基部から先端側にかけて雄螺子部１４が形成されている。
【００５１】
上述した端子金具６０は、スタッドボルト１２に挿通可能に先端部を環状に形成した接続部６１を備え、スタッドボルト１２に挿通した状態の接続部６１は、該スタッドボルト１２に螺合したナット８０によって、図６に示すように、該ナット８０と基底部１１との間に介在した状態で締結される。
【００５２】
なお、端子金具６０の接続部６１とナット８０との間には、ワッシャ８５を介在させた状態となるように、端子金具６０の接続部６１、ワッシャ８５、及びナット８０をこの順にスタッドボルト１２に挿通させている。
【００５３】
端子金具６０の接続部６１は、環状に形成したものに限らず、スタッドボルト１２の外径に相当する間隔を隔てて突出した一対の突片状に形成するなど、スタッドボルト１２に接続可能であれば特に限定しない。
【００５４】
ここで、スタッドボルト１２の軸方向において、環状の接続部６１を基底部１１に当接するまでスタッドボルト１２に挿通した状態でナット８０により締結した箇所を締結箇所Ｓに設定する（図６参照）。また、スタッドボルト１２の先端側の雄螺子部１４の形成端部１３ａに相当する箇所、換言すると、スタッドボルト１２の雄螺子部１４にナット８０の雌螺子部８１が螺合する直前の状態にナット８０を配置する箇所を未締結箇所Ｔに設定する（図４参照）。
【００５５】
さらにまた、以下の説明においてスタッドボルト１２の軸方向においてスタッドボルト１２の突出方向を上方向Ｄｕに設定し、突出方向と反対方向を下方向Ｄｄに設定する。
【００５６】
なお、端子金具６０は、図２、及び図３に示すように、先端側に上述した環状の接続部６１を形成するとともに、基部側に、電線５０の先端側の電線先端部５１を圧着接続するバレル部６２を形成している。バレル部６２は、電線先端部５１における絶縁被覆５３Ａを剥離して導体５２Ａを露出した導体先端部５２を圧着するワイヤーバレル部６３と、電線先端部５１における導体先端部５２よりも基端側において絶縁被覆５３Ａで被覆した被覆先端部５３を圧着するインシュレーションバレル部６４とで構成している。
【００５７】
また、締結箇所Ｓ、及び未締結箇所Ｔの外周側には、ナット８０の締結を補助する締結工具７０を未締結箇所Ｔにガイドする樹脂製のガイド壁部４１を形成している。なお、締結工具７０の先端部には、ナット８０を保持（チャック）するヘッド部７１（保持部）を備えている。
【００５８】
ガイド壁部４１は、基底部１１の外周側からスタッドボルト１２の突出方向と同じ方向（Ｄｕ）に少なくともスタッドボルト１２の突出高さよりも突出して形成している。
【００５９】
詳しくは、ガイド壁部４１は、締結工具７０のヘッド部７１を未締結箇所Ｔに配置した状態において該ヘッド部７１の外周全体を外側からしっかりとガイド可能に、未締結箇所Ｔに配置した状態のヘッド部７１の基端部（上端部）よりも高くなるように、例えば、４５ｍｍの高さで形成している。
【００６０】
ガイド壁部４１は、図３に示すように、周方向の一部に、円筒状の周方向の一部を切欠いた端子配置許容スリット４１Ａを有する平面視Ｃの字型に形成している。なお、端子配置許容スリット４１Ａは、スタッドボルト１２へ接続部６１を挿着した状態の端子金具６０をガイド壁部４１に対して径内側と径外側とを連通可能な幅を有して形成している。
【００６１】
その他、ガイド壁部４１は、図２に示すように、上下方向に長尺なスリット４１Ｂを適宜の間隔を隔てて配設し、該スリット４１Ｂの間の部分を梁状に形成することで、径内方向に撓み変形可能に形成している。
【００６２】
さらに、ガイド壁部４１は、ナット８０を保持する締結工具７０のヘッド部７１を外側からガイド可能に、締結工具７０のヘッド部７１の外径よりも一回り大きな内径で形成している。詳しくは、図３、及び図４に示すように、ガイド壁部４１は、該ガイド壁部４１の内部に締結工具７０のヘッド部７１を挿入した状態で回動可能とする程度の隙間ΔＬ（遊び）がヘッド部７１との間に確保される内径で形成されている。
【００６３】
また、ガイド壁部４１の内周面には、未締結箇所Ｔにおいてナット８０がスタッドボルト１２に締結されるように案内可能に径内方向に突出した案内突片２０を形成している。  
詳しくは、案内突片２０は、未締結箇所Ｔにおいてナット８０とスタッドボルト１２が締結されるように案内する突片であり、該未締結箇所Ｔに配置された未締結状態のナット８０の螺子軸８０ａとスタッドボルト１２の螺子軸１３とが一致した状態でナット８０を保持するように、締結工具７０のヘッド部７１を、下側から支持した状態で案内可能にガイド壁部４１の内周面から縦断面視略三角形状の突出形状で形成している（図４参照）。
【００６４】
案内突片２０は、該案内突片２０の上面を、ナット８０を案内する案内面２１として形成している。案内面２１は、図４に示すように、径外方向から径内方向へ向けて、換言すると、突出方向の基部側から先端側に向けて締結箇所Ｓの側に近接する方向（下方向Ｄｄ）に傾斜した傾斜面で形成している。すなわち、案内面２１は、突出方向の基部側から先端に進むに従って、徐々に降下する傾斜面で形成している。  
なお、案内面２１は、案内突片２０を縦断面視したとき、直線状の傾斜面で形成するに限らず、曲線状の傾斜面で形成してもよい。
【００６５】
案内突片２０は、ガイド壁部４１の内周面における、未締結箇所Ｔに配置した締結工具７０を下側から支持した状態で案内可能な配置高さ、すなわち、ガイド壁部４１の内周面における、スタッドボルト１２の軸方向の先端側における雄螺子部１４の形成端部１３ａに対応する高さに配置している。
【００６６】
図３に示すように、案内突片２０は、ガイド壁部４１の内周面における、上述した配置高さにおいて周方向に３つ備えている。これら３つの案内突片２０は、ガイド壁部４１の内周面に、該ガイド壁部４１の周方向を３等分配するように、略１２０°ごとに配置するとともに、同一高さで配置している。
【００６７】
詳しくは、図３に示すように、３つの案内突片２０のうち２つの案内突片２０のそれぞれを第１案内突片２０Ａと第２案内突片２０Ｂに設定し、これら第１案内突片２０Ａと第２案内突片２０Ｂは、ガイド壁部４１の周方向の端子配置許容スリット４１Ａの両端部にそれぞれ配置している。３つの案内突片２０のうち残り１つの案内突片２０を第３案内突片２０Ｃに設定し、第３案内突片２０Ｃは、ガイド壁部４１の内周面における、端子配置許容スリット４１Ａに対して、ガイド壁部４１の内側空間の中心部を隔てて対向する部分に配置している。
【００６８】
また、案内突片２０、及びガイド壁部４１における案内突片２０の周辺部分は、ナット８０の締結に伴って締結工具７０のヘッド部７１が未締結箇所Ｔよりも降下することにより、径外方向へ退避可能に凹むように弾性変形するように、樹脂成型によりガイド壁部４１と一体に形成している。
【００６９】
続いて、上述した外部端子接続ユニット１０に、端子金具６０を接続する手順について図２、並びに図４乃至図６を用いて説明する。  
まず、外部端子接続ユニット１０の基底部１１から立設したスタッドボルト１２に端子金具６０の接続部６１を挿入する。さらに、ナット８０を締結工具７０のヘッド部７１に嵌め込んで保持させた状態で、ガイド壁部４１の内側空間へ挿入していく。
【００７０】
そうすると、図２、及び図４に示すように、締結工具７０のヘッド部７１を未締結箇所Ｔに配置した状態において、案内突片２０に支持された状態となる。
【００７１】
締結工具７０やナット８０の重力、又は締結工具７０のヘッド部７１の下方への押し付け力によって、締結工具７０は、未締結箇所Ｔにおいて、３つの案内突片２０（２０Ａ，２０Ｂ，２０Ｃ）のそれぞれの案内面２１に案内される。
【００７２】
これにより、図４中の仮想線で示したナット８０のように、未締結箇所Ｔにおいて、仮に、スタッドボルト１２の螺子軸１２ａに対してナット８０の螺子軸８０ａが傾いた状態で配置された場合であっても、図４に示すように、該ナット８０は、該ナット８０の螺子軸８０ａとスタッドボルト１２の螺子軸１２ａとが一致した状態となるように案内され、該ナット８０の傾きを補正することができる。
【００７３】
従って、ナット８０の雌螺子部８１（図５参照）とスタッドボルト１２の雄螺子部１４とが抉ることなく係合し、スタッドボルト１２に対してナット８０をスムーズ、且つ適切に螺合することができる。
【００７４】
そして、ナット８０がスタッドボルト１２に一旦、螺合した後は、締結工具７０による締結操作として、例えば、締結工具７０を搖動させるなどにより、ナット８０をスタッドボルト１２に対して螺進させることができる。  
その際、締結工具７０のヘッド部７１の下端部が案内突片２０の案内面２１に当接した状態となるが、ナット８０をスタッドボルト１２に対して螺進させるに伴って締結工具７０の下端部によって、案内突片２０が押圧されるため、図５に示すように、樹脂材料により弾性変形可能に形成した案内突片２０が径外方向に圧縮変形する。
【００７５】
これにより、図６に示すように、案内突片２０によってナット８０がスタッドボルト１２の軸方向の下方へ螺進することが妨げられることがなく、締結箇所Ｓにおいて、ナット８０によって端子金具６０の接続部６１をスムーズ、且つ、しっかりと締結することができる。
【００７６】
なお、締結箇所Ｓにおいて、端子金具６０の接続部６１を締結した後、締結工具７０を持ち上げることで、締結工具７０による保持に対してナット８０を解放することができる。  
その際、案内突片２０は、締結工具７０による圧縮が解除されるため、該案内突片２０の弾性により、圧縮した形状から元の突出形状に復元する（図６参照）。
【００７７】
上述した外部端子接続ユニット１０は、以下のような作用効果を奏することができる。  
上述したように、案内突片２０を、ガイド壁部４１の未締結箇所Ｔの外周側から径内方向にナット８０を案内可能に突出して形成したため、図４に示すように、未締結箇所Ｔに配置した未締結状態のナット８０を、該ナット８０の螺子軸８０ａとスタッドボルト１２の螺子軸１２ａとが一致した状態となるように案内することができる。従って、スタッドボルト１２に対してナット８０が傾くことなく、強固に、且つスムーズに締結することができる。
【００７８】
さらに、図５に示すように、案内突片２０をナット８０の締結に伴って未締結箇所Ｔから径外方向へ退避可能に形成することで、未締結箇所Ｔから締結箇所Ｓへナット８０をスタッドボルト１２に対して締結する際に、ナット８０が邪魔になることなくスムーズに締結することができる。
【００７９】
また、未締結箇所Ｔの外周側に、ナット８０を締結する締結工具７０を未締結箇所Ｔにガイドするガイド壁部４１を形成したため、未締結箇所Ｔに配置したナット８０、ナット８０を締結する締結工具７０のヘッド部７１を、外周側からガイドすることができる。
【００８０】
詳しくは、ガイド壁部４１は、未締結箇所Ｔの外周側に広い範囲で配置することが可能であるため、未締結箇所Ｔに配置した締結工具７０のヘッド部７１を、外周側からしっかりとガイドすることができる。しかも、ガイド壁部４１によって、ヘッド部７１が案内突片２０により案内可能な位置までスムーズにガイドすることができる。
【００８１】
一方、案内突片２０は、ナット８０を案内可能に突出して形成しているため、締結工具７０との遊びに相当する隙間ΔＬが生じることなく、しっかりとガイドすることができる。
【００８２】
このように、案内突片２０に加えてガイド壁部４１を構成することで、これら案内突片２０とガイド壁部４１との双方の特長を活かしてしっかりと案内することができる。
【００８３】
スタッドボルト１２を、該スタッドボルト１２とナット８０とが締結する締結箇所Ｓの基底部１１から未締結箇所Ｔに向けて突出するとともに、外周に雄螺子部１４が形成され、案内突片２０を、雄螺子部１４の軸方向の先端側の形成端部１３ａに対応する位置に配置している。
【００８４】
これにより、ナット８０の雌螺子部８１とスタッドボルト１２の雄螺子部１４とが互いに係合し合う際に、ナット８０を、該ナット８０の螺子軸８０ａとスタッドボルト１２の螺子軸１２ａとが一致した状態となるように案内することができるため、スタッドボルト１２に対するナット８０の傾きを精度よく確実に補正することができる。
【００８５】
従ってナット８０をスタッドボルト１２に対してより一層、強固に、且つ、スムーズに締結することができる。
【００８６】
また、案内突片２０におけるナット８０を案内する案内面２１を、径外方向から径内方向へ向けて、ナット８０とスタッドボルト１２とが締結する締結箇所Ｓの側に近接する傾斜面で形成することにより、ナット８０を、該ナット８０の螺子軸８０ａとスタッドボルト１２の螺子軸１２ａとが一致した状態となるように、該ナット８０の重力を利用して積極的に案内することができる。
【００８７】
加えて、ナット８０のスタッドボルト１２に対する傾きだけでなく、ガイド壁部４１の内部におけるナット８０の径方向の位置も補正することができる。
【００８８】
従ってナット８０をスタッドボルト１２に対してより一層、強固、且つ、スムーズに締結することができる。
【００８９】
また、案内突片２０を、同一高さ、及び、同一形状で３つ備えるとともに、それぞれを周方向において略等分に配置することにより、それぞれの案内突片２０（２０Ａ，２０Ｂ，２０Ｃ）によってナット８０をバランスよく案内することができるため、ナット８０がスタッドボルト１２に対して傾くことなく、安定して案内することができる。
【００９０】
また、最小限の配置数の案内突片２０によって効率的に案内することができるため、４つ以上の多数の案内突片２０を配置した場合のように、構成が複雑にならず、製造コストの低減を図ることができる。
【００９１】
以下では、他の実施形態における外部端子接続ユニット１０Ｐ１，１０Ｐ２，１０Ｐ３について説明する。  
但し、以下で説明する外部端子接続ユニット１０Ｐ１，１０Ｐ２，１０Ｐ３の構成のうち、上述した第１実施形態における外部端子接続ユニット１０と同様の構成については、同一の符号を付して、その説明を省略する。
【００９２】
（第２実施形態）  
図７はナット８０が未締結箇所Ｔにある場合の第２実施形態の外部端子接続ユニット１０Ｐ１の縦断面図、及び作用説明であり、図４に対応する図である。図８は外部端子接続ユニット１０Ｐ１の作用説明図であり、図５に対応する図である。図９はナット８０が締結箇所Ｓにある場合の外部端子接続ユニット１０Ｐ１の縦断面図であり、図６に対応する図である。
【００９３】
第２実施形態の案内突片２０Ｐ１は、長尺状に形成し、図７に示すように、長手方向の略中間部で屈曲する屈曲部２５と、該屈曲部２５に対して一方側部分に相当する上片部２６と、他方側部分に相当する下片部２７とで構成している。
【００９４】
第２実施形態の案内突片２０Ｐ１は、図７に示すように、ガイド壁部４１の未締結箇所Ｔと締結箇所Ｓとの間部分において、該案内突片２０Ｐ１の長手方向の一端部を未締結箇所Ｔに相当する高さで連結するとともに、該案内突片２０Ｐ１の長手方向の他端部を締結箇所Ｓに相当する高さで連結する形状で形成している。これにより、第２実施形態の案内突片２０Ｐ１は、屈曲部２５が屈曲した状態で径内方向に突出した形状で配置している。
【００９５】
第２実施形態の案内突片２０Ｐ１は、該案内突片２０Ｐ１の上片部２６の上面に、未締結箇所Ｔの締結工具７０を支持した状態で案内する案内面２１を構成し、該案内突片２０Ｐ１の下片部２７の下面に、締結箇所Ｓのナット８０を押さえる押さえ面２７ａを構成している。
【００９６】
詳しくは、案内突片２０Ｐ１の案内面２１は、図７に示すように、未締結箇所Ｔに配置したナット８０を、締結工具７０を介して間接的に支持した状態で案内可能に構成している。さらに、該案内突片２０Ｐ１の押さえ面２７ａは、図９に示すように、締結箇所Ｓに配置したナット８０の上部を押圧によりロック可能に構成している。
【００９７】
上述した外部端子接続ユニット１０Ｐ１は、以下のような作用効果を奏することができる。  
案内突片２０Ｐ１の案内面２１は、未締結箇所Ｔに配置したナット８０を、締結工具７０を介して下側から支持した状態で案内することができる。
【００９８】
これに対して案内突片２０Ｐ１の押さえ面２７ａは、図９に示すように、締結箇所Ｓに配置された締結状態のナット８０に当接するため、仮に、ナット８０の締結に緩みが生じて浮き上がろうとしても、案内突片２０Ｐ１が弾性変形し、その弾性力を活かして締結箇所Ｓに配置されたナット８０の上部を押さえ面２７ａによって押圧保持することができる。  
これにより、ナット８０の強固な締結状態を確保することができる。
【００９９】
このように、１種類の案内突片２０Ｐ１によって、未締結箇所Ｔに配置したナット８０の案内と、締結箇所Ｓに配置したナット８０の押圧保持との２つの作用、効果を奏することができる。
【０１００】
さらに、図８、及び図９に示すように、ナット８０が締結箇所Ｓに達していない場合には、案内突片２０Ｐ１が撓み変形した状態となる。このため、案内突片２０Ｐ１が大きく撓み変形していることに基づいてナット８０が締結箇所Ｓに達していないことを目視により容易に判別することができる。すなわち、案内突片２０Ｐ１をナット８０の締結具合を確認するための手段として用いることができる。
【０１０１】
また、案内突片２０Ｐ１が撓んだ場合、或いは、案内突片２０Ｐ１の撓みに伴ってガイド壁部４１が径外方向へ撓むなどした場合において、本実施形態のベースブロック本体３に対してアッパーカバーを嵌め込もうとした際に、アッパーカバーが、撓み変形した案内突片２０Ｐ１や、撓み変形したガイド壁部４１に干渉し、アッパーカバーが嵌め込むことができない等の構成としてもよい。
【０１０２】
これにより、締結箇所Ｓにおいてナット８０の締結が十分である場合のみアッパーカバーを嵌め込むことができるため、意識せずとも、しっかりとした締結を実現できるため、電気的な接続の信頼性の向上を容易に図ることができる。
【０１０３】
（第３実施形態）  
第３実施形態の外部端子接続ユニット１０Ｐ２は、未締結箇所Ｔに配置した締結工具７０を下側から支持した状態で案内する上述した案内突片２０に加えて、未締結箇所Ｔに配置した締結工具７０のヘッド部７１の上端部に当接して該締結工具７０をロックする案内突片２０を備えて構成している。
【０１０４】
詳しくは、案内突片２０は、第１実施形態の案内突片２０を下側案内突片２０ｄに設定し、未締結箇所Ｔに配置した締結工具７０を締結する締結工具７０を上側から案内する上側案内突片２０ｕに設定している。  
上側案内突片２０ｕは、締結工具７０のヘッド部７１の上部に当接する下面を案内面２１として形成している。
【０１０５】
上側案内突片２０ｕは、２つ備え、それぞれ第１上側案内突片２０ｕＡと第２上側案内突片２０ｕＢとで構成している。第１上側案内突片２０ｕＡと第２上側案内突片２０ｕＢのそれぞれは、ガイド壁部４１における、未締結箇所Ｔに配置した締結工具７０の上部に相当する箇所に同一高さで配設している。
【０１０６】
また、第１上側案内突片２０ｕＡと第２上側案内突片２０ｕＢとは、図１１に示すように、下側に配置した第１下側案内突片２０ｄＡと第２下側案内突片２０ｄＢと第３下側案内突片２０ｄＣとに対して周方向において一致せずに（オーバーラップせずに）、ずらした位置にガイド壁部４１の内壁側において配置している。
【０１０７】
詳しくは、第１上側案内突片２０ｕＡと第２上側案内突片２０ｕＢとは、端子配置許容スリット４１Ａの幅方向の中間部と第２下側案内突片２０ｄＢとを結ぶ仮想ラインＬ１であって、スタッドボルト１２の立設位置を通過する仮想ラインＬ１に直交する直交ラインＬ２上において、ガイド壁部４１における、スタッドボルト１２の立設位置（ガイド壁部４１の中心部）を隔てて対向する各側に配置している。
【０１０８】
上述した外部端子接続ユニット１０Ｐ２は、以下のような作用効果を奏することができる。  
案内突片２０を、未締結箇所Ｔに配置したナット８０を下側から案内する下側案内突片２０ｄと、未締結箇所Ｔに配置したナット８０を保持する締結工具７０を上側から案内する上側案内突片２０ｕとで構成することにより、下側案内突片２０ｄと上側案内突片２０ｕとで締結工具７０を上下各側から挟み込むようにして案内することができるため、意識的に締結工具７０を、軸方向において固定せずとも、安定した状態で案内できるため、正確且つ、しっかりと案内することができる。
【０１０９】
上述したように、上側に配置した第１上側案内突片２０ｕＡ、及び第２上側案内突片２０ｕＢと、下側に配置した第１下側案内突片２０ｄＡ、第２下側案内突片２０ｄＢ、及び第３下側案内突片２０ｄＣとを周方向において一致せずに（オーバーラップせずに）、ずらした位置にガイド壁部４１の内壁側において配置することにより、上側案内突片２０ｕと下側案内突片２０ｄとを備えたガイド壁部４１を成型により容易に構成することができる。
【０１１０】
（第４実施形態）  
図１２はナット８０が未締結箇所Ｔにある場合の第４実施形態の外部端子接続ユニット１０Ｐ３の縦断面図、及び作用説明であり、詳しくは、図４に対応する図である。図１３は第３実施形態の外部端子接続ユニット１０Ｐ３の平面図である。
【０１１１】
第４実施形態の外部端子接続ユニット１０Ｐ３は、ガイド壁部４１Ｚを、上述した実施形態のガイド壁部４１と比較して低背に形成し、さらに、ガイド壁部４１の内壁面に案内突片２０を構成しておらず、内壁面から径内方向に突出した案内突壁部９１を周方向に３つ配設している。案内突壁部９１は、ガイド壁部４１の内壁面の上下方向Ｄｄに沿って突出した幅小の突出形状で形成し、テーパ案内部９１ａと直線状案内部９１ｂとで構成している。
【０１１２】
テーパ案内部９１ａは、未締結箇所Ｔよりも上側部分に相当する部分にテーパ状の案内面２１を有して形成し、締結工具７０を挿入可能に該締結工具７０の外径と略同じ径となるまで、上端から下側へ進むに連れ、徐々に径内方向に突出して形成している。
【０１１３】
直線状案内部９１ｂは、案内突壁部９１におけるテーパ案内部９１ａよりも下側部分、すなわち、未締結箇所Ｔに相当する部分、及び、その部分より下側部分に、スタッドボルト１２の螺子軸１２ａと平行な直線状の案内面２１を有して形成している。
【０１１４】
すなわち、案内突壁部９１は、該案内突壁部９１の上下方向Ｄｄにおける未締結箇所Ｔに相当する部分を直線状案内部９１ｂで形成している。  
また、ガイド壁部４１Ｚは、上述したガイド壁部４１よりも剛性を高めてガイド機能を高めるために、スリット孔４１Ｂを形成していない。
【０１１５】
上述した外部端子接続ユニット１０Ｐ３は、以下のような作用効果を奏することができる。  
案内突壁部９１の上部をテーパ案内部９１ａで形成しているため、ガイド壁部４１Ｚの内部に締結工具７０のヘッド部７１をスムーズに挿入することができ、挿入したヘッド部７１が未締結箇所Ｔに到達するまで挿入するに従って、テーパ状の案内面２１によって、ヘッド部７１の傾き、位置を滑らかに補正することができる。
【０１１６】
そして、上述したように、案内突壁部９１は、該案内突壁部９１の上下方向Ｄｄにおける未締結箇所Ｔに相当する部分を直線状案内部９１ｂで形成しているため、未締結箇所Ｔに配置した締結工具７０のヘッド部７１を直線状案内部９１ｂでガイドすることができる。
【０１１７】
そして、この場合、直線状案内部９１ｂとヘッド部７１とのとの間のクリアランス（遊び）を、案内突壁部９１を形成していないガイド壁部４１Ｚの内面とヘッド部７１との間のクリアランス（遊び）よりも小さく抑えることができる。
【０１１８】
よって、未締結箇所Ｔに配置した締結工具７０のヘッド部７１を直線状案内部９１ｂでガイドすることのよって、案内突壁部９１を形成していないガイド壁部４１Ｚの内面によってガイドする場合よりも、しっかりとヘッド部７１をガイドすることができる。
【０１１９】
また、ガイド壁部４１Ｚに案内突壁部９１の特にテーパ案内部９１ａを形成することによって、ガイド壁部４１Ｚのガイド長さを確保せずともスムーズに締結工具７０を未締結箇所Ｔにまでガイドするとともに、ヘッド部７１の傾きと位置を補正するように案内できるため、ガイド壁部４１Ｚの高さを要さず、ガイド壁部４１Ｚを低背化して形成することができる。
【０１２０】
ガイド壁部４１Ｚは、撓み変形性が要求されないため、スリット孔４１Ｂを有さずに形成したが、スリット孔４１Ｂを形成して材料の使用量を削減してもよい。
【０１２１】
また、案内突壁部９１は、図１３に示すように、ガイド壁部４１Ｚの内壁面に３つを備え、これら３つの案内突壁部９１をガイド壁部４１Ｚの周方向において等分配するに限らず、ガイド壁部４１Ｚの内壁面に３つ以外の数で備えてもよく、また、案内突壁部９１は、図１４（ａ）に示す案内突壁部９１Ａのように、ガイド壁部４１Ｚの周方向全体に形成してもよい。
【０１２２】
なお、図１４は他の実施形態の構成説明図である。詳しくは、図１４（ａ）は他の実施形態の案内突壁部９１Ａを示す説明図である。図１４（ｂ）は、後述する他の実施形態の案内突片２０Ｘを示す説明図である。
【０１２３】
また、案内突片２０は、縦断面視三角形状に形成するに限らず、例えば、図１４（ｂ）に示す案内突片２０Ｘのように、先端部を平坦状にした縦断面視台形形状で形成してもよい。  
これにより、案内突片２０Ｘは、締結工具７０のヘッド部７１を案内するうえで不要となる先端部分を除去できる。このため、未締結箇所Ｔに配置された締結工具７０のヘッド部７１を確実に案内できつつ、スタッドボルト１２に螺合したナット８０の下方への螺進に伴って、ヘッド部７１からの押圧を受けても案内突片２０Ｘを少し圧縮させるだけで、案内突片２０Ｘを容易に退避させて該案内突片２０Ｘが邪魔にならずに締結工具７０を下方へ螺進させることができる。
【０１２４】
このように、案内突片２０は、縦断面視三角形状、縦断面視台形形状で形成するに限らず、縦断面視円弧形状、縦断面視四角形状など様々な形状で形成してもよい。
【０１２５】
また、図１５に示す他の実施形態における外部接続端子接続ユニット１０’のように、ガイド壁部４１Ｚ１は、締結工具７０のヘッド部７１を未締結箇所Ｔに配置した状態において該ガイド壁部Ｚ１の上端部が、該ヘッド部７１の基端部（上端部）と略同じ高さになるように形成してもよい。具体的には、ガイド壁部４１Ｚ１は、４５ｍｍｍの高さで形成した第１実施形態のガイド壁部４１の高さよりも１０ｍｍ程度低い３５ｍｍの高さで形成し、第４実施形態の外部端子接続ユニット１０Ｐ３におけるガイド壁部４１Ｚよりもさらに低背に形成している。
【０１２６】
このような構成によれば、未締結箇所Ｔに配置した状態のヘッド部７１の外周全体を、外側からしっかりとガイドすることができるとともに、ガイド壁部Ｚ１の内側に締結工具７０のヘッド部７１をガイド壁部４１Ｚ１が邪魔になることなく差し込むことができるため、未締結箇所Ｔにおいてヘッド部７１によって保持したナット８０をスタッドボルト１２に容易に螺合することができる。
【０１２７】
なお、本発明のガイド壁部は、上述したように、未締結箇所Ｔに配置した状態のヘッド部７１の基端部よりも高い高さで形成する、或いは、ヘッド部７１の基端部と同じ高さで形成するに限らず、未締結箇所Ｔに配置したヘッド部７１の基端部よりも低背に形成してもよい。
【０１２８】
この発明の構成と、実施形態との対応において、  
この発明の締結部材案内構造は、外部接続端子接続ユニット１０，１０Ｐ１，１０Ｐ２，１０Ｐ３，１０’に対応し、  
以下同様に、
締結箇所の底部は、基底部１１に対応し、  
締結部、又は外周に螺子部が形成された突状雄螺子部は、スタッドボルト１２に対応し、  
前記雄螺子部の前記螺子部の軸方向における前先端側の形成端部は、雄螺子部の形成端部１３ａに対応し、  
前記雄螺子部の前記螺子部は、雄螺子部１４に対応し、  
案内手段は、案内突片２０に対応し、  
締結部材は、ナット８０に対応するも、  
この発明は、上述の実施形態の構成のみに限定されるものではなく、請求項に示される技術思想に基づいて応用することができ、多くの実施の形態を得ることができる。
【符号の説明】
【０１２９】
１…リレーボックス
１０，１０Ｐ１，１０Ｐ２，１０Ｐ３，１０’…外部接続端子接続ユニット
１１…基底部
１２…スタッドボルト
１３…スタッドボルトの螺子軸
１３ａ…雄螺子部の形成端部
１４…雄螺子部
２０，２０Ｐ１，２０Ｐ２，２０Ｘ…案内突片
２１…ナットを案内する案内面
２７ａ…押さえ面
４１，４１Ｚ，４１Ｚ１…ガイド壁部
６１…接続部
７０…締結工具
８０…ナット
８０ａ…ナットの螺子軸
８１…雌螺子部
９１，９１Ａ…案内突壁部
Ｓ…締結箇所
Ｔ…未締結箇所
【図１】
2014103711.tif 000003
【図２】
2014103711.tif 000004
【図３】
2014103711.tif 000005
【図４】
2014103711.tif 000006
【図５】
2014103711.tif 000007
【図６】
2014103711.tif 000008
【図７】
2014103711.tif 000009
【図８】
2014103711.tif 000010
【図９】
2014103711.tif 000011
【図１０】
2014103711.tif 000012
【図１１】
2014103711.tif 000013
【図１２】
2014103711.tif 000014
【図１３】
2014103711.tif 000015
【図１４】
2014103711.tif 000016
【図１５】
2014103711.tif 000017